(57)【特許請求の範囲】
【請求項１】
底面に塵埃を吸引するための横長の開口を有する本体ケースに回転ロータを前記開口の近傍に備えた掃除機用床ノズルにおいて、前記回転ロータを構成する清掃体は、長尺の繊維束を所定幅で蛇行状に折曲した帯板状体の前記繊維束が折曲された両端部に紐状の取付用部材を各々固着させて構成し、前記清掃体をその幅方向の中央付近で折り返して、両端の前記取付用部材を各々ロータに設けられた外周に開口する複数条の支持溝に挿入固定することにより前記清掃体の自由端にループパイル部を形成したことを特徴とする掃除機用床ノズル。
【請求項２】
底面に塵埃を吸引するための横長の開口及び該開口の前方あるいは後方又はその両方に清掃体を有する掃除機用床ノズルにおいて、前記清掃体は、長尺の繊維束を所定幅で蛇行状に折曲した帯板状体の前記繊維束が折曲された両端部に紐状の取付用部材を各々固着させて構成し、前記清掃体をその幅方向の中央付近で折り返して、両端の前記取付用部材を各々前記床ノズルの底面に設けた前記清掃体取付用の支持溝に挿入固定することにより前記清掃体の自由端にループパイル部を形成したことを特徴とする掃除機用床ノズル。
【請求項３】
底面に塵埃を吸引するための横長の開口を有する本体ケースに回転ロータを前記開口の近傍に備えた掃除機用床ノズルにおいて、前記回転ロータを構成する清掃体は、長尺の繊維束を所定幅で蛇行状に折曲した帯板状体の前記繊維束が折曲された両端部に紐状の取付用部材を各々固着させて構成し、前記清掃体をその幅方向の中央付近で折り返して、両端の前記取付用部材を各々ロータに設けられた外周に開口する複数条の螺旋状に形成された支持溝に挿入固定することにより前記清掃体を螺旋状にし、該清掃体の自由端にループパイル部を形成したことを特徴とする掃除機用床ノズル。
【発明の詳細な説明】
【０００１】
【発明の属する技術分野】
本発明は、掃除機のアタッチメントとして使用される床ノズルにに関するものである。
【０００２】
【従来の技術】
図８から図１０に従来の床ノズルに用いる清掃体を示す。図において、５１は清掃体で帯板状のブラシ本体５２と清掃体５１をその取付個所に固定させるために清掃体５１の基端部に固着させた取付用部材５３とで構成されている。
【０００３】
清掃体５１を掃除機用床ノズル内に取り付けられる回転ロータ５４を構成するロータ５５に取り付けた状態の横断面図として図９に示した。所定長さの棒状のロータ５５には、その軸方向に複数条の支持溝５６が設けられている。支持溝５６の横断面は、この溝内に挿嵌させた取付用部材５３を抜け止めするために蟻溝形状にしている。
【０００４】
ブラシ本体５２は図８に示すようにＵ字形に２つ折りされた多数の繊維束群を各々の２つ折り側端を一線に揃えた状態で帯板条に連ねた形態を備えており、取付用部材５３は合成樹脂製の紐状体である。
【０００５】
清掃体５１は、まず所望の太さにまとめた長尺の繊維束を蛇行状に折曲させて一定幅の帯板状体５７とする。次に、帯板状体５７の長手方向の両縁端にその全長にわたって取付用部材５３を綴じ糸５８で縫い付ける等の方法で各々固着させる。
【０００６】
取付用部材５３を固着し終えた帯板状体５７をその幅方向の中心線Ｘ−Ｘに沿って分断することで清掃体５１が２本出来上がる。
【０００７】
このように構成した清掃体５１はブラシ本体５２と取付用部材５３を別個に製作する必要がなく、その手間も経費も節約でき、この清掃体５１をロータ５５に取り付ける等してブラシとして用いることで床面の塵埃をかき出し清掃効果を発揮するものである。
【０００８】
【発明が解決しようとする課題】
しかしながら上記のように構成した掃除機用床ノズルによれば清掃体５１を構成するブラシ本体５２の先端部はその長手方向全長にわたって連続的にカットパイル状の繊維が存在するため床面を擦る際に非常に髪の毛等の繊維状のごみがブラシ本体５２にからみつきやすいという欠点を有していた。
【０００９】
本発明は、上記のような問題を解決するためになされたもので、髪の毛等のからみつきにくい清掃体を持った掃除機用床ノズルを提供することを目的としている。
【００１０】
【課題を解決するための手段】
本発明にかかる掃除機用床ノズルは、次のように構成したものである。
（１）底面に塵埃を吸引するための横長の開口を有する本体ケースに回転ロータを前記開口の近傍に備えた掃除機用床ノズルにおいて、前記回転ロータを構成する清掃体は、長尺の繊維束を所定幅で蛇行状に折曲した帯板状体の前記繊維束が折曲された両端部に紐状の取付用部材を各々固着させて構成し、前記清掃体をその幅方向の中央付近で折り返して、両端の前記取付用部材を各々ロータに設けられた外周に開口する複数条の支持溝に挿入固定することにより前記清掃体の自由端にループパイル部を形成したものである。
【００１１】
（２）底面に塵埃を吸引するための横長の開口及び該開口の前方あるいは後方又はその両方に清掃体を有する掃除機用床ノズルにおいて、前記清掃体は、長尺の繊維束を所定幅で蛇行状に折曲した帯板状体の前記繊維束が折曲された両端部に紐状の取付用部材を各々固着させて構成し、前記清掃体をその幅方向の中央付近で折り返して、両端の前記取付用部材を各々前記床ノズルの底面に設けた前記清掃体取付用の支持溝に挿入固定することにより前記清掃体の自由端にループパイル部を形成したものである。
（３）底面に塵埃を吸引するための横長の開口を有する本体ケースに回転ロータを前記開口の近傍に備えた掃除機用床ノズルにおいて、前記回転ロータを構成する清掃体は、長尺の繊維束を所定幅で蛇行状に折曲した帯板状体の前記繊維束が折曲された両端部に紐状の取付用部材を各々固着させて構成し、前記清掃体をその幅方向の中央付近で折り返して、両端の前記取付用部材を各々ロータに設けられた外周に開口する複数条の螺旋状に形成された支持溝に挿入固定することにより前記清掃体を螺旋状にし、該清掃体の自由端にループパイル部を形成したものである。
【００１２】
【発明の実施の形態】
実施の形態１
図１から図６に実施の形態１を示す。図において、１は床ノズルであり、以下にその構成を説明する。２は、底面に横長の開口３を有する下ケース４と、この下ケース４を覆う上ケース５より形成された本体ケースでその中央には一端が開口３に連通し他端は本体ケース２の後端まで延在する中央通路６を有している。
【００１３】
７は一端が中央通路６に位置し、他端が電気掃除機本体（図示せず）に接続される吸気パイプ、８は回転ロータでロータ９と清掃体１０、軸１１と減速プーリ１２Ａを有するブラケット１３Ａ、軸１１を有するブラケット１３Ｂより構成され、開口３の長手方向の両端に固定された軸受け１４に軸１１が回転自在に支持され、清掃体１０の自由端１５はその回転時に開口３より突出される。
【００１４】
回転ロータ８を構成するロータ９はアルミニウムやその合金にて押し出し成形された直線状の棒状体であり、その長手方向には外周に開口する複数条の清掃体１０を支持するための支持溝１６が設けられている。ロータ９を軸の周りに所定の角度捩りを加え支持溝１６を螺旋状にする。
【００１５】
清掃体１０は帯板状のブラシ本体１７と、清掃体１０をロータ９の支持溝１６に固定させるために清掃体１０の長手方向両縁端部に固着させた取付用部材１８とで構成されている。
【００１６】
清掃体１０は次のような製法で作られる。まず所望の太さにまとめた長尺の繊維束を蛇行状に折曲させて縦糸（図示せず）を用いて編み上げる等の方法で一定幅の帯板状体１９とする。不要となった縦糸は後刻抜き取る。
【００１７】
次に、帯板状体１９の長手方向の両縁端にその全長にわたって取付用部材１８を綴じ糸２０で縫い付けて各々固着させる。取付用部材１８の固着方法としてはこの他に帯板状体１９を編み上げる時にその両側縁部に取付用部材１８を一緒に編み込んだり、あるいは接着手段によって取付用部材１８を帯板状体１９に固着させてもよい。
【００１８】
このようにして出来た清掃体１０をその幅方向の中央付近で折り返して両縁の取付用部材１８を各々ロータ９に設けられた外周に開口する隣り合う支持溝１６に挿入固定することにより清掃体１０を螺旋状にし、その自由端１５にループパイル部２１を形成する。
【００１９】
ロータ９の両端部にブラケット１３Ａ、１３Ｂを固着して回転ロータ８が完成する。
２２は回転ロータ８を回転させる電動機よりなる駆動体で、軸２３には減速プーリ１２Ｂが固定されている。２４は減速プーリ１２Ａと減速プーリ１２Ｂに巻回された伝達用のベルトである。
【００２０】
このように構成された床ノズル１は、掃除機本体（図示せず）の運転に伴い外気は開口３より中央通路６を通過し、吸気パイプ７を介して掃除機本体（図示せず）に吸引される。このとき、駆動体２２が回転し、その回転は減速プーリ１２Ｂ、ベルト２４、減速プーリ１２Ａにより回転ロータ８に伝達される。回転ロータ８に装着された清掃体１０は回転し、その自由端１５に形成されたループパイル部２１は開口３より突出して回転しながら床面に衝突し、床面に付着した塵埃や散乱したゴミ等を開口３内に直接かき上げたり吸引される外気流に塵埃を乗せる。
【００２１】
この時、清掃体１０の自由端１５にはループパイル部２１が形成されているため、清掃体１０を構成するブラシ本体１７に髪の毛等の繊維ごみがからみつきにくい。
【００２２】
なお、回転ロータ８の回転を行うための駆動体２２を電動機で説明したが、掃除機本体（図示せず）に収納される電動送風機（図示せず）の吸引力により、ファンを回転させたり、床ノズル１の走行用車輪（図示せず）の回転等を用いて駆動体を形成してもよいものである。さらに、流れ込む空気を直接、清掃体１０に当てることにより回転ロータ８自身を回転させてもよいものである。
【００２３】
実施の形態２
図７に実施の形態２を示す。
なお、説明にあたり実施の形態１と重複する部分については省略する。
図において、２５は床ノズルであり、以下にその構成を説明する。２６は、底面に横長の開口２７を有する下ケース２８と、この下ケース２８を覆う上ケース２９より形成された本体ケースでその中央には一端が開口２７に連通し他端は本体ケース２６の後端まで延在する中央通路３０を有している。
【００２４】
３１は一端が中央通路３０に位置し、他端が電気掃除機本体（図示せず）に接続される吸気パイプ、３２は清掃体で帯板状のブラシ本体３３と、清掃体３２を下ケース２８に設けられた支持溝３４に固定させるために清掃体３２の長手方向両縁端部に固着させた取付用部材３５とで構成されている。
【００２５】
清掃体３２をその幅方向の中央付近で折り返して両縁の取付用部材３５を各々下ケース２８に設けられた支持溝３４に挿入固定することにより清掃体３２の自由端３６にループパイル部３７を形成する。
【００２６】
このように構成された床ノズル２５は、掃除機本体（図示せず）の運転に伴い外気は開口２７より中央通路３０を通過し、吸気パイプ３１を介して掃除機本体（図示せず）に吸引される。床ノズル２５の底面に装着された清掃体３２の自由端３６は床面に当接し、床面に付着した塵埃や散乱したごみ等を拭き取り、吸引される外気流にこれらの塵埃を乗せる。
【００２７】
この時、清掃体３２の自由端３６にはループパイル部３７が形成されているため、清掃体３２を構成するブラシ本体３３に髪の毛等の繊維ごみがからみつきにくい。
【００２８】
なお、図７においては清掃体３２を開口２７の後方のみに設けてあるが、その位置は例えば、開口２７の前方あるいは前方、後方の両方でも良くその位置及び数は適切なものを選択すれば良いものである。
【発明の効果】
以上の説明から明らかなように、本発明の掃除機用床ノズルは次に示すような効果を得ることができる。なお、説明に当たっては請求項の番号と同じ番号を付して記述する。
【００２９】
（１）底面に塵埃を吸引するための横長の開口を有する本体ケースに回転ロータを開口の近傍に備えた掃除機用床ノズルにおいて、回転ロータを構成する清掃体は長尺の繊維束を蛇行状に折曲した所定幅の帯板状体の長手方向両縁部に紐状の取付用部材を縫付、編込、接着等の手段で各々固着させて構成し、清掃体をその幅方向の中央付近で折り返して、両縁の取付用部材を各々ロータに設けられた外周に開口する複数条の支持溝に挿入固定することにより清掃体の自由端にループパイル部を形成したので清掃体を構成するブラシ本体に髪の毛等の繊維ごみがからみつきにくい。
【００３０】
（２）底面に塵埃を吸引するための横長の開口及び該開口の前方あるいは後方又はその両方に清掃体を有する掃除機用床ノズルにおいて、清掃体は長尺の繊維束を蛇行状に折曲した所定幅の帯板状体の長手方向両縁部に紐状の取付用部材を縫付、編込、接着等の手段で各々固着させて構成し、清掃体をその幅方向の中央付近で折り返して、両縁の取付用部材を各々床ノズルの底面に設けた清掃体取付用の支持溝に挿入固定することにより清掃体の自由端にループパイル部を形成したので清掃体を構成するブラシ本体に髪の毛等の繊維ごみがからみつきにくい。
【図面の簡単な説明】
【図１】  本発明の実施の形態１の横断面図である。
【図２】  図１の上ケースを取り除いた平面図である。
【図３】  本発明の実施の形態１の回転ロータの平面図である。
【図４】  本発明の実施の形態１の回転ロータに用いる清掃体の部分平面図である。
【図５】  本発明の実施の形態１の回転ロータに用いる清掃体の部分斜視図である。
【図６】  本発明の実施の形態１の回転ロータの横断面図である。
【図７】  本発明の実施の形態２の横断面図である。
【図８】  従来の清掃体の部分斜視図です。
【図９】  従来の清掃体をロータに取り付けた状態の横断面図である。
【図１０】  従来の清掃体の製法を説明した部分平面図である。
【符号の説明】
８  回転ロータ  ９  ロータ  １０  清掃体  １５  自由端
１６  支持溝  １７  ブラシ本体  １８  取付用部材
１９  帯板状体  ２０  綴じ糸  ２１  ループパイル部
３２  清掃体  ３３  ブラシ本体  ３４  支持溝  ３５  取付用部材
３６  自由端  ３７  ループパイル部
【図１】
0004485663.tif 000002
【図２】
0004485663.tif 000003
【図３】
0004485663.tif 000004
【図４】
0004485663.tif 000005
【図５】
0004485663.tif 000006
【図６】
0004485663.tif 000007
【図７】
0004485663.tif 000008
【図８】
0004485663.tif 000009
【図９】
0004485663.tif 000010
【図１０】
0004485663.tif 000011